(57)【要約】【課題】薬剤タンクに凹部を設け、この凹部に座席を配置した場合に、キャビン内の空間の有効利用を図りつつ、キャビンの密封性を確保できる自走式防除機を提供する。【解決手段】自走式防除機は、車体を構成し、前後方向に延びる機体フレーム４と、機体フレーム４上に設けられ、前方及び上方へ開放された形状の凹部が薬剤タンク側凹部８ｂとして形成された薬剤タンク８と、薬剤タンク側凹部８ｂに配置される座席３１と、機体フレーム４上及び薬剤タンク８の前側の部分に隣接して設けられ、座席３１を収容するキャビンと、を備える自走式防除機であって、キャビンは、薬剤タンク８に対向する部分を塞ぐ仕切り壁２９を備え、仕切り壁２９は、薬剤タンク側凹部８ｂに収容されると共に座席３１を収容するように凹む凹部を仕切り壁側凹部２９ａとして有する。【選択図】図５
2014076789.tif 000002
【特許請求の範囲】
【請求項１】
車体（１）を構成し、前後方向に延びる機体フレーム（４）と、
前記機体フレーム（４）上に設けられ、前方及び上方へ開放された形状の凹部が薬剤タンク側凹部（８ｂ）として形成された薬剤タンク（８）と、
前記薬剤タンク側凹部（８ｂ）に配置される座席（３１）と、
前記機体フレーム（４）上及び前記薬剤タンク（８）の前側の部分に隣接して設けられ、前記座席（３１）を収容するキャビン（７）と、を備える自走式防除機（１０）であって、
前記キャビン（７）は、前記薬剤タンク（８）に対向する部分を塞ぐ仕切り壁（２９）を備え、
前記仕切り壁（２９）は、前記薬剤タンク側凹部（８ｂ）に収容されると共に前記座席（３１）を収容するように凹む凹部を仕切り壁側凹部（２９ａ）として有する、自走式防除機（１０）。
【請求項２】
前記仕切り壁（２９）は、前記薬剤タンク（８）又は前記機体フレーム（４）に連通する開口部（２９ｃ）を有し、
前記座席（３１）は、前記開口部（２９ｃ）を介して前記薬剤タンク（８）又は前記機体フレーム（４）に固定され、
前記座席（３１）と前記仕切り壁（２９）との間には、前記キャビン（７）内を気密に保つための封止部材（３３）が、前記開口部（２９ｃ）を囲繞して設けられている、請求項１記載の自走式防除機（１０）。
【請求項３】
前記開口部（２９ｃ）は、前記仕切り壁側凹部（２９ａ）の平面部（２９ｂ）に設けられている、請求項２記載の自走式防除機（１０）。
【請求項４】
前記仕切り壁（２９）は、前記座席（３１）を収容する前記仕切り壁側凹部（２９ａ）のその平面部を構成する底壁（２９ｂ）に、前記薬剤タンク側凹部（８ｂ）に連通する前記開口部（２９ｃ）を有し、
前記開口部（２９ｃ）には、座席固定具（３２）が配置され、
前記座席固定具（３２）は、前記開口部（２９ｃ）を前記キャビン（７）側である上側から塞ぐ閉塞部（３２ａ）と、前記開口部（２９ｃ）に進入して前記薬剤タンク側凹部（８ｂ）に当接する部分（３２ｂ）とを有し、
前記座席（３１）は、前記座席固定具（３２）上に載置され、前記座席固定具（３２）を貫通する締結手段（３４）により前記薬剤タンク側凹部（８ｂ）に取り付けられており、
前記座席固定具（３２）の前記閉塞部（３２ａ）と前記底壁（２９ｂ）との間には、前記キャビン（７）内を気密に保つための封止部材（３３）が、前記開口部（２９ｃ）を囲繞して設けられている、請求項２又は３記載の自走式防除機（１０）。
【発明の詳細な説明】
【技術分野】
【０００１】
本発明は、自走式防除機に関する。
【背景技術】
【０００２】
従来、作物に対して農薬等の薬剤を散布するための自走式防除機が知られている（例えば、特許文献１参照）。自走式防除機は、車体の前部に座席を収容するキャビンを有し、その後方に薬剤タンクを有しているのが通常である。自走式防除機は、狭い場所における旋回性を確保するために車体の前後方向の全長を小さくすることが望ましく、特許文献１に記載された自走式防除機にあっては、薬剤タンクの下部を、薬剤タンクを搭載する機体フレームに沿って車体の前方へ張り出した形状とし、この薬剤タンクの張出し部分に座席を設置する凹部を設け、キャビン内に進入させることにより、車体の前後方向の全長を小さくしている。
【先行技術文献】
【特許文献】
【０００３】
【特許文献１】特開２００２−２８３８３７号公報
【発明の概要】
【発明が解決しようとする課題】
【０００４】
このような自走式防除機では、キャビンの薬剤タンクに当接する部分を、特許文献１のように薬剤タンクの上面に固定させる。しかしながら、この場合、キャビンと薬剤タンクとの間に隙間が生じるため、その結果、キャビンの密封性が低下する。
【０００５】
そこで本発明は、薬剤タンクに凹部を設け、この凹部に座席を配置した場合に、キャビン内の空間の有効利用を図りつつ、キャビンの密封性を確保できる自走式防除機を提供することを目的とする。
【課題を解決するための手段】
【０００６】
本発明の自走式防除機（１０）は、車体（１）を構成し、前後方向に延びる機体フレーム（４）と、機体フレーム（４）上に設けられ、前方及び上方へ開放された形状の凹部が薬剤タンク側凹部（８ｂ）として形成された薬剤タンク（８）と、薬剤タンク側凹部（８ｂ）に配置される座席（３１）と、機体フレーム（４）上及び薬剤タンク（８）の前側の部分に隣接して設けられ、座席（３１）を収容するキャビン（７）と、を備える自走式防除機（１０）であって、キャビン（７）は、薬剤タンク（８）に対向する部分を塞ぐ仕切り壁（２９）を備え、仕切り壁（２９）は、薬剤タンク側凹部（８ｂ）に収容されると共に座席（３１）を収容するように凹む凹部を仕切り壁側凹部（２９ａ）として有する。
【０００７】
この自走式防除機（１０）によれば、キャビン（７）のうち、薬剤タンク側凹部（８ｂ）に対向する部分が仕切り壁（２９）により塞がれているため、キャビン（７）の密封性が確保される。また、仕切り壁（２９）に設けられた仕切り壁側凹部（２９ａ）が、薬剤タンク側凹部（８ｂ）に収容されると共に座席（３１）を収容するように凹んでいるため、仕切り壁側凹部（２９ａ）に座席（３１）を設けることで、キャビン（７）内の空間を有効利用することができる。
【０００８】
ここで、仕切り壁（２９）は、薬剤タンク（８）又は機体フレーム（４）に連通する開口部（２９ｃ）を有し、座席（３１）は、開口部（２９ｃ）を介して薬剤タンク（８）又は機体フレーム（４）に固定され、座席（３１）と仕切り壁（２９）との間には、キャビン（７）内を気密に保つための封止部材（３３）が、開口部（２９ｃ）を囲繞して設けられていることが好ましい。これによれば、座席（３１）を固定するための部材をキャビン（７）内に配置する必要がなく、キャビン（７）内の空間を一層有効利用することができる。また、座席（３１）と仕切り壁（２９）との間には、キャビン（７）内を気密に保つための封止部材（３３）が開口部（２９ｃ）を囲繞して設けられているため、キャビン（７）の密封性を確保できる。
【０００９】
上記開口部（２９ｃ）は、仕切り壁側凹部（２９ａ）の平面部（２９ｂ）に設けられていることが好ましい。これによれば、封止部材（３３）によるキャビン（７）の密封性を容易に確保できる。
【００１０】
また、仕切り壁（２９）は、座席（３１）を収容する仕切り壁側凹部（２９ａ）のその平面部を構成する底壁（２９ｂ）に、薬剤タンク側凹部（８ｂ）に連通する開口部（２９ｃ）を有し、開口部（２９ｃ）には、座席固定具（３２）が配置され、座席固定具（３２）は、開口部（２９ｃ）をキャビン（７）側である上側から塞ぐ閉塞部（３２ａ）と、開口部（２９ｃ）に進入して薬剤タンク側凹部（８ｂ）に当接する部分（３２ｂ）とを有し、座席（３１）は、座席固定具（３２）上に載置され、座席固定具（３２）を貫通する締結手段（３４）により薬剤タンク側凹部（８ｂ）に取り付けられており、座席固定具（３２）の閉塞部（３２ａ）と底壁（２９ｂ）との間には、キャビン（７）内を気密に保つための封止部材（３３）が、開口部（２９ｃ）を囲繞して設けられていることが好ましい。これによれば、開口部（２９ｃ）に配置された座席固定具（３２）のその上に載置された座席（３１）が、座席固定具（３２）を貫通する締結手段（３４）により薬剤タンク側凹部（８ｂ）に取り付けられているため、座席（３１）を固定するための部材をキャビン（７）内に配置する必要がなく、キャビン（７）内の空間を一層有効利用することができる。また、座席固定具（３２）の閉塞部（３２ａ）と仕切り壁側凹部（２９ａ）の底壁（２９ｂ）との間には、キャビン（７）内を気密に保つための封止部材（３３）が開口部（２９ｃ）を囲繞して設けられているため、キャビン（７）の密封性を確保できる。また、通常、仕切り壁側凹部（２９ａ）の底壁（２９ｂ）は平面をなしているため、封止部材（３３）によるキャビン（７）の密封性を容易に確保できる。
【発明の効果】
【００１１】
本発明によれば、薬剤タンクに凹部を設け、この凹部に座席を配置した場合に、キャビン内の空間の有効利用を図りつつ、キャビンの密封性を確保できる自走式防除機を提供することができる。
【図面の簡単な説明】
【００１２】
【図１】本実施形態の自走式防除機の側面図である。
【図２】図１中の車体の斜視図である。
【図３】薬剤タンク及び機体フレームの上方斜視図である。
【図４】キャビンの分解斜視図である。
【図５】キャビンフレーム、座席関連部材、仕切り壁、薬剤タンク及び機体フレームの分解斜視図である。
【図６】座席固定具を備えた座席の下方斜視図である。
【図７】設置した座席及びその周辺の断面図である。
【発明を実施するための形態】
【００１３】
以下、本発明の好適な実施形態について、図面を参照しながら詳細に説明する。なお、各図において同一部分又は相当部分には同一符号を付し、重複する説明は省略する。
【００１４】
図１は、本実施形態の自走式防除機１０の側面図である。自走式防除機１０は、車体１と車輪２と散布ブーム３とを有し、薬液散布を行う乗用型ブームスプレーヤである。車体１は、前後方向に延びる機体フレーム４を有しており、その下面の前後部分からそれぞれ左右一対の車軸５が下方に延び、各車軸５の先端に車輪２が取り付けられている。
【００１５】
図２は、自走式防除機１０から車輪２及び散布ブーム３を取り外した車体１の斜視図である。図１及び図２に示されるように、車体１には、各車輪２を駆動するためのエンジンを内蔵するエンジンルーム６が機体フレーム４の上面後部に配置され、座席３１を収容したキャビン７が機体フレーム４の上面前部に配置されている。また、機体フレーム４の前後方向中間部には薬剤タンク８が配置されている。なお、図２では、キャビン７に収容された座席３１が見えるように、キャビン７から窓及びドアを取り除いた状態としている。
【００１６】
ここで、薬剤タンク８は、その下部が機体フレーム４に沿って前方へ張り出した張出し部分８ａを有しており、薬剤タンク８の前側の部分に隣接しキャビン７の骨格を構成するキャビンフレーム２１（図５参照）の後部且つ下部が、薬剤タンク８の張出し部分８ａの形状に倣い湾曲されて凹んだ形状とされている。
【００１７】
機体フレーム４の前端部には、車体１の前後方向に対して垂直且つ水平な方向に横架されたセンターブーム９を介して、散布ブーム３が取り付けられている。散布ブーム３は、薬剤としての薬液を散布するためのものであり、薬液散布を行わないときには折り畳まれ、図１に示されるように車体１に対して側方位置に斜め後ろ上がりの状態で格納されている。薬液散布を行うときには、散布ブーム３をセンターブーム９に対して一直線状となるように広げる。
【００１８】
車体１は、乗降性を向上させるためのサイドフロア１１を備えている。サイドフロア１１は、機体フレーム４の左右両側縁部から側方に張り出した部分であり、格子状に構成され、キャビン７の出入り口から機体フレーム４の後端まで延びている。また、サイドフロア１１の後部には、作業者がサイドフロア１１に乗降するための乗降用ステップ１２が設けられている。
【００１９】
また、車体１には、車体１両側のサイドフロア１１の後部からそれぞれ立ち上がってエンジンルーム６の高さ程度に延びて前方に折れ曲がり、薬剤タンク８の頂部に前部が固定された一対の手すり１３，１３がそれぞれ設けられている。
【００２０】
図３は、薬剤タンク８及び機体フレーム４の上方斜視図、図４は、キャビン７の分解斜視図である。図３に示されるように、薬剤タンク８は、前述のとおりその下部が機体フレーム４に沿って前方へ張り出した張出し部分８ａを有しており、この張出し部分８ａに、前方及び上方へ開放され座席３１に対応する形状の凹部が薬剤タンク側凹部８ｂとして形成されている。薬剤タンク側凹部８ｂを構成する底壁８ｃには、座席３１を取り付けるための薬剤タンク側めねじ部８ｄが複数設けられている。
【００２１】
また、機体フレーム４は、左右両側で前後方向に延びる一対の骨格部材４ａ，４ａのうち、薬剤タンク８が配置された位置よりも前方に延びる部分には、キャビン７を固定するためのボルト用穴４ｂが設けられており、更に、一対の骨格部材４ａ，４ａの前部に架け渡されるように設けられた骨格部材４ｃには、キャビン７を固定するための機体フレーム側ブラケット４ｄが両側に複数立設されている。
【００２２】
また、前述した薬剤タンク８の頂部に固定された一対の手すり１３，１３には、その先端部に、キャビンを固定するためのめねじ部１３ａ，１３ａがそれぞれ設けられている。
【００２３】
図４に示されるように、キャビン７は、キャビン７の骨格を形成するキャビンフレーム２１に対し、ルーフ２２、前面ガラス２３、フロントパネル２４、ドア２５、側面ガラス２６、後面ガラス２７、床板２８、仕切り壁２９が取り付けられた構成とされている。
【００２４】
キャビンフレーム２１は、ルーフ２２を設置する平面視矩形の枠体２１ａと、枠体２１ａの前後方向における前部、中間部、後部からそれぞれ下方へ向けて延びる左右一対の前部骨格部材２１ｂ，２１ｂ、左右一対の中間部骨格部材２１ｃ，２１ｃ、及び左右一対の後部骨格部材２１ｄ，２１ｄとを有している（図５も参照）。
【００２５】
後部骨格部材２１ｄは、枠体２１ａの後部から下方に延びた後、薬剤タンク８の張出し部分８ａの形状に倣うように湾曲されて前方且つ下方へ延びて中間部骨格部材２１ｃに連結され、更に、床板２８が設置される底部連結骨格部材２１ｅまで延びて前部骨格部材２１ｂに連結される形状とされている。後部骨格部材２１ｄの湾曲が始まる位置には、左右一対の後部骨格部材２１ｄ，２１ｄ間に架け渡される後部連結骨格部材２１ｆが設けられている。また、前部骨格部材２１ｂは枠体２１ａから下方へ向けて延びた後、湾曲されて後方且つ下方へ延び、前述の底部連結骨格部材２１ｅまで延びて後部骨格部材２１ｄと連結される。また、前部骨格部材２１ｂの湾曲が始まる直前部分には、左右一対の前部骨格部材２１ｂ，２１ｂ間に架け渡される前部連結骨格部材２１ｇが設けられている。
【００２６】
そして、枠体２１ａの上部にはルーフ２２が設置され、枠体２１ａの前部、左右一対の前部骨格部材２１ｂ，２１ｂ及び前部連結骨格部材２１ｇで囲まれる領域には、前面ガラス２３が取り付けられ、前部連結骨格部材２１ｇ、左右一対の前部骨格部材２１ｂ，２１ｂ及び底部連結骨格部材２１ｅで囲まれる領域には、フロントパネル２４が取り付けられている。
【００２７】
また、枠体２１ａの側部、前部骨格部材２１ｂ、中間部骨格部材２１ｃ、及び後部骨格部材２１ｄで囲まれる領域には、ドア２５が取り付けられ、枠体２１ａの側部、中間部骨格部材２１ｃ及び後部骨格部材２１ｄで囲まれる領域には、側面ガラス２６が取り付けられ、枠体２１ａの後部、左右一対の後部骨格部材２１ｄ，２１ｄ及び後部連結骨格部材２１ｆで囲まれる領域には、後面ガラス２７が取り付けられている。
【００２８】
そして、後部連結骨格部材２１ｆ、左右一対の後部骨格部材２１ｄ，２１ｄ及び底部連結骨格部材２１ｅで囲まれる領域には、仕切り壁２９が取り付けられている。この仕切り壁２９は、座席３１を収容する形状とされており、薬剤タンク側凹部８ｂに収容されるように凹む凹部を仕切り壁側凹部２９ａとして有している。そして、仕切り壁２９は、キャビン７の後部且つ下部（キャビン７のうち、薬剤タンク側凹部８ｂに対向する部分）を塞いでいる。
【００２９】
キャビンフレーム２１は、左右一対の後部骨格部材２１ｄ，２１ｄの湾曲が始まる位置に、キャビン７と手すり１３の先端部とを連結するための第１のキャビン側ブラケット７ａ，７ａがそれぞれ設けられている。また、左右一対の後部骨格部材２１ｄ，２１ｄのうち、底部連結骨格部材２１ｅまで延びた部分の下部には、キャビン７を機体フレーム４に固定するための第２のキャビン側ブラケット７ｂ，７ｂがそれぞれ設けられている。更に、左右一対の前部骨格部材２１ｂ，２１ｂのうち、湾曲されて後方且つ下方へ延びている部分には、キャビン７を機体フレーム４に固定するための第３のキャビン側ブラケット７ｃ，７ｃがそれぞれ設けられている。そして、第１のキャビン側ブラケット７ａがめねじ部１３ａにねじ止めされ、第２のキャビン側ブラケット７ｂが骨格部材４ａに対してボルト用穴４ｂを用いてねじ止めされ、第３のキャビン側ブラケット７ｃが機体フレーム側ブラケット４ｄ，４ｄに対してねじ止めされることにより、キャビン７が機体フレーム４に固定されると共に、手すり１３の先端部と連結される。
【００３０】
図５は、キャビンフレーム２１、座席関連部材（座席３１、座席固定具３２、封止部材３３、締結手段３４）、仕切り壁２９、薬剤タンク８及び機体フレーム４の分解斜視図である。仕切り壁２９は、その仕切り壁側凹部２９ａの内側に座席３１を収容し、仕切り壁側凹部２９ａのうち、平面をなしている底壁２９ｂには、薬剤タンク側凹部８ｂに連通する開口部２９ｃが設けられている。座席３１は、この開口部２９ｃに進入する座席固定具３２を介して薬剤タンク側凹部８ｂに取り付けられている。
【００３１】
図６は、座席固定具３２を備えた座席３１の下方斜視図、図７は、設置した座席３１及びその周辺の断面図である。図６に示されるように、座席３１の下部側には座席取付け部材３１ａが配置されており、座席３１は、この座席取付け部材３１ａにより、軸３１ｂを介して回動を許容されるように前側下部を支持されている。座席取付け部材３１ａの下方には、座席固定具３２が配置されている。
【００３２】
座席固定具３２は、キャビン７側である上部から開口部２９ｃを塞ぐ平板上の天板（閉塞部）３２ａと、天板３２ａの座席３１とは反対側となる面（以下、裏面と称する）に、矩形環状をなし、且つ開口部２９ｃに進入して薬剤タンク側凹部８ｂの底壁８ｃに当接するように設けられた突出部（薬剤タンク側凹部に当接する部分）３２ｂと、を一体に形成したものである。この座席固定具３２には、座席３１の締結手段である座席固定ボルト３４が通されるボルト用穴３２ｃが、薬剤タンク側めねじ部８ｄに対応する位置に設けられている。また、座席取付け部材３１ａにも同様に、薬剤タンク側めねじ部８ｄに対応する位置にボルト用穴が設けられている。底壁８ｃにおける薬剤タンク側めねじ部８ｄを形成する部分８ｐは、上下方向に厚肉とされ、この厚肉部８ｐにナットをインサートすることにより薬剤タンク側めねじ部８ｄが形成されている。
【００３３】
天板３２ａのうち座席３１と同じ側の面の後部側には、座席３１の後部を受け止めて支持する左右一対のクッションゴム３２ｄ，３２ｄが天板３２ａの裏面からボルト締めで取り付けられている。クッションゴム３２ｄは、その頂部が座席の座面裏側後部に当接され、運転者の体重を支える。
【００３４】
そして、座席３１は、図７に示されるように、座席固定ボルト３４が座席取付け部材３１ａのボルト用穴、座席固定具３２のボルト用穴３２ｃに通され、薬剤タンク側めねじ部８ｄに螺合することで、座席取付け部材３１ａ及び座席固定具３２が共締めされて薬剤タンク側凹部８ｂの底壁８ｃに取り付けられている。
【００３５】
また、天板３２ａの裏面における突出部３２ｂの外側の部分と仕切り壁２９の底壁２９ｂとの間には、キャビン７内を気密に保つための封止部材３３が環状に設けられている。この封止部材３３は、ここではパッキンとされ、開口部２９ｃを囲繞するように設けられている。
【００３６】
以上のように構成された本実施形態の自走式防除機１０によれば、キャビン７のうち、薬剤タンク側凹部８ｂに対向する部分が仕切り壁２９により塞がれているため、キャビン７の密封性が確保される。これにより、散布した薬液がキャビン７と薬剤タンク８との隙間からキャビン７内に侵入することを防止でき、また、キャビン７内の空調に関し、冷暖房等の効率が向上する。また、仕切り壁２９に設けられた仕切り壁側凹部２９ａが、薬剤タンク側凹部８ｂに収容されると共に座席３１を収容するように凹んでいるため、仕切り壁側凹部２９ａに座席３１を設けることができる。すなわち、薬剤タンク８に凹部を設け、この凹部に座席を配置した自走式防除機１０において、キャビン７内の空間を有効利用することができる。
【００３７】
また、仕切り壁２９の開口部２９ｃに配置された座席固定具３２のその上に載置された座席３１が、座席固定具３２を貫通する座席固定ボルト３４により薬剤タンク側凹部８ｂの底壁８ｃに取り付けられているため、座席を固定するための部材をキャビン７内に配置する必要がなく、キャビン７内の空間を一層有効利用することができる。これと同時に、キャビンフレーム２１の構造が簡素且つ軽量となるため、コストの低減が図られ、自走式防除機１０の走行性能も向上される。更に、座席固定具３２と仕切り壁側凹部２９ａの底壁２９ｂとの間には、キャビン７内を気密に保つための封止部材３３が開口部２９ｃを囲繞して設けられているため、キャビン７の密封性を確保できる。またこのとき、仕切り壁側凹部２９ａの底壁２９ｂは平面部とされているため、封止部材３３によるキャビン７の密封性を容易に確保できる。
【００３８】
更に、キャビン７の設置を、車体１の左右片側あたり、機体フレーム４の二箇所、及び薬剤タンク８の頂部に固定された手すり１３の先端部一箇所の計三箇所で固定することにより行っているため、キャビン７の荷重が分散され、機体フレーム４に曲げモーメントが集中することを緩和できる。これと同時に、機体フレーム４を高強度化する必要性が小さくなり、コストの低減が図られる。また、薬剤タンク８の下部を機体フレーム４に沿って車体１の前方へ張り出した形状としているため、車体１の前後方向の全長が小さくなり、狭い場所における旋回性を確保できる。
【００３９】
以上、本発明の好適な実施形態について説明したが、本発明は上記実施形態に何ら限定されるものではない。例えば、上記実施形態では、自走式防除機として、薬液散布を行う乗用型ブームスプレーヤの例を示したが、キャビンを密閉する必要のあるものであれば、本発明を他の自走式防除機に適用してもよい。
【００４０】
また、上記実施形態では、薬剤タンク側凹部８ｂの座席３１を収容する部分が底壁８ｃを有する形状である例を示したが、薬剤タンク側凹部８ｂの座席３１を収容する部分には底壁がなく（例えば薬剤タンク８が平面視コの字状となる形状とされ）座席３１が機体フレーム４に固定される態様としてもよい。
【００４１】
なお、上記実施形態で示した態様によれば、キャビン内の空間の有効利用を図るべく、座席を開口部を通じて薬剤タンク側凹部（上述の例であれば機体フレーム４）に固定しているが、仕切り壁に開口部を設けることなくキャビンを密封し、座席を固定するための部材をキャビン内に配置することも考えられる。
【符号の説明】
【００４２】
１…車体、４…機体フレーム、７…キャビン、８…薬剤タンク、８ａ…張出し部分、８ｂ…薬剤タンク側凹部、１０…自走式防除機、２９…仕切り壁、２９ａ…仕切り壁側凹部、２９ｂ…底壁、２９ｃ…開口部、３１…座席、３２…座席固定具、３２ａ…天板（閉塞部）、３２ｂ…突出部（薬剤タンク側凹部に当接する部分）、３３…封止部材、３４…座席固定ボルト（締結手段）。
【図１】
2014076789.tif 000003
【図２】
2014076789.tif 000004
【図３】
2014076789.tif 000005
【図４】
2014076789.tif 000006
【図５】
2014076789.tif 000007
【図６】
2014076789.tif 000008
【図７】
2014076789.tif 000009